(57)【要約】【課題】油流出事故による海洋・河川の油汚染に対し、流出油の回収処理を機械化・自動化し、迅速、確実な油の回収により早期の環境の復旧を図る。【解決手段】油吸着材として石炭を用い、採集した被汚染物質（海水・河水・土砂）と石炭を選炭機を用いて選別し、油を付着した石炭を選炭して油を回収する。【選択図】　図１
2004081940.tif 000002
【特許請求の範囲】
【請求項１】
油流出事故による海洋・河川の油汚染に対する流出油の回収処理方法において、
油吸着材として石炭を用い、採集した被汚染物質（海水・河水・土砂）と石炭を選炭機を用いて選別し、油を付着した石炭を選炭して油を回収することを特徴とする流出油の回収処理方法。
【請求項２】
水面の浮遊油をタンク４に採集してこれに石炭を投入し、これを選炭機を用いて選炭する請求項１に記載の流出油の回収処理方法。
【請求項３】
油汚染された土砂（海底、海岸、川底）に石炭を散布してこれを採集し、これを選炭機を用いて選炭する請求項１に記載の流出油の回収処理方法。
【請求項４】
選炭機が浮遊選炭機７、重液選炭機７ａ、ジグ選炭機７ｂ、サイクロン選炭機７ｃのいずれか又はこれらの組合せである請求項１、２又は３に記載の流出油の回収処理方法。
【発明の詳細な説明】
【０００１】
【発明の属する技術分野】
この発明は、油流出事故による海洋・河川の油汚染に対する対策として、迅速、確実な油の回収と環境の復旧を図るための流出油の回収処理方法に関するものである。
【０００２】
【従来の技術】
タンカー等の海難事故による海洋での大量の油の流出に対しては、オイルフェンスを展張して油の拡散を防止し、油回収船により可能な限り流出油を回収し、油の海岸漂着を回避することが最も重要とされている。油の回収には油吸着材も用いられ、これらの措置による回収が困難で、人命・財産への重大な被害が発生するおそれがある場合、油処理剤の散布による化学的処理手段も用いられる。
【０００３】
【発明が解決しようとする課題】
しかし、流出油は、風と潮流により急速に広大して遠距離まで運ばれ、海上漂流油の包囲による全量回収は不可能である。沿岸水域での油流出事故では、流出油は、極めて広範囲の海岸に漂着して大規模な油汚染を招き、これらの油の回収、環境の復旧は膨大な労力を要する人力に依存している。
【０００４】
また、流出油の回収に用いられる油吸着材（天然・合成繊維、マット等）は、油とともに海水も吸着して沈み、取り扱いが極めて不便であるとともに、吸着した油の廃棄や後処理にも課題がある。油処理剤は、油を分散して自然浄化の促進を図るもので、初期・少量の流出油のみ効果が期待できるに止まり、処理剤が残留して生態系（海産物）に影響する危険もある。これらの課題は、河川での油流出事故においても同様であり、流出油による汚染は、河川の流れで広範囲の下流水域に広がり、飲料水を犯す危険もあり、川底の石や砂利に付着した油を完全に取り除くことは極めて困難である。
【０００５】
この発明は、疎水性（撥水性）が強く水にはなじまないが、油に対して極めて強い親和力（親油性）を有する石炭の特性に着目し、この石炭を油吸着材として用いた流出油の回収処理方法を提案するものである。そして、流出油の回収処理を機械化・自動化し、迅速、確実な油の回収により早期の環境の復旧を図ることを目的とするものである。
【０００６】
【課題を解決するための手段】
こうした目的を達成するため、この発明の流出油の回収処理方法は、油吸着材として石炭を用い、採集した被汚染物質（海水・河水・土砂）と石炭を選炭機を用いて選別し、油を付着した石炭を選炭して油を回収することを特徴とするものである。
【０００７】
海面や川面の水面に浮遊する油はタンクに採集してこれに石炭を投入し、これを選炭機を用いて選炭して油を回収する。海底、海岸、川底等の油汚染された土砂には石炭を散布してこれを採集し、これを選炭機を用いて選炭して油を回収する。
【０００８】
油を付着した石炭を取り出す選炭機としては、条件に応じて効率良く油を回収することができるように、浮遊選炭機、重液選炭機、ジグ選炭機、サイクロン選炭機のいずれか又はこれらを組合せて用いることができる。
【０００９】
【発明の実施の形態】
以下にこの発明の実施の形態を図面を用いて具体的に説明する。
図１は、この発明の流出油の回収処理方法の全体の構成を図解したもので、図中の構成要素を、条件に応じて選択・組合せて流出油を回収処理する。
【００１０】
海面や川面の水面に浮遊する油は、ホース１で吸引してタンク４に採集し、シュータ５からタンク４内に石炭（粉炭・微粉炭）を投入する。次に、この石炭が混入されたタンク１内の油、海水、川水を浮遊選炭機７に供給する。
【００１１】
油汚染された土砂（海底、海岸、川底）に対しては石炭を散布する。次に、散布した石炭とともに油汚染された土砂を、バックホー、ショベルローダ、ギャザリングローダ（かき寄せローダ）等の積込機３を用い、コンベア２（チェーンコンベア、ベルトコンベア）で搬送し、タンク４内に採集する。この作業と併用して、送水とホース１による吸引で土砂をタンク４内に採集する。次に、この採集したタンク１内の石炭、土砂を浮遊選炭機７に供給する。
【００１２】
浮遊選炭機７は、水中に多数の気泡を発生して撹拌し、この水中気泡発生・撹拌作用により気泡表面に疎水性鉱物（石炭）を付着し、浮上させて分離回収するもので、その親油性で油を付着した石炭は、その疎水性で気泡表面に付着して上層に浮上し、土砂は下層へ沈下する。このようにして被汚染物質（海水・河水・土砂）と石炭が選別され、浮遊した石炭（フロス）をフロスホッパー８へ回収し、フロス運搬車両９で所定の貯留場所へ運搬する。海水、川水は排水し、油が取り除かれて洗浄された土砂は回収し、土砂運搬車両１０で元の海底、海岸、川底へ戻してもよい。このようにして、順次浮遊選炭機７の運転でフロスを回収し、このフロスは、油を吸着してカロリが高められた含油石炭（ＣＯＭ）として発電所等の燃料として用いる。
【００１３】
以上、代表的な選炭機である浮遊選炭機７を用いた場合を説明したが、これに代わり又は前後の工程に組み合わせて、重液選炭機７ａ、ジグ選炭機７ｂ、サイクロン選炭機７ｃ等の諸選炭機を用いてもよい。重液選炭機７ａは、水に代わって所定比重の重液を用い、比重の差で石炭を浮遊物として選炭する。ジグ選炭機７ｂは、ジギング（上下動振動）を与えて石炭を上層に浮上させて選炭する。サイクロン選炭機７ｃは、遠心分離作用により粒子の大きさで分級する。
【００１４】
これらの選炭機は、選別する土砂や回収する石炭等の条件に応じて最適なものを選択し、効率良く油を回収することができるように、複数の選炭機による選炭工程とすることもできる。また、選炭機とともに、必要に応じてインパクトブレーカ、ジョークラッシャ、ふるい（スクリーン）等を用い、破砕、整粒、分粒工程を含む一工程として運転可能に構成する。各装置の運転はコンピュータ制御し、リモートコントロール方式を取り入れた自動と手動の両方の運転方法で稼働可能とすることが好ましい。
【００１５】
この発明の流出油の回収処理方法の適用において、水面に浮遊する油の回収には、ホース１、タンク４、浮遊選炭機７（又は他の選炭機）を、コンパクトに一式装備した油回収船とすることができる。この油回収船では、ホース１で浮遊油を吸引し、同時に選炭機７で選炭して油を回収処理する。
【００１６】
流出油が広範囲の海岸に漂着した大規模な油汚染に対しては、付近の基地に一式を設備し、積込機３で油汚染された土砂を採集し、選炭機の運転で油を回収処理するとともにこれを洗浄し、早期の環境の復旧を図る。
【００１７】
【発明の効果】
以上のように、この発明の流出油の回収処理方法は、油吸着材として石炭を用い、油を付着した石炭を選炭機を用いて選炭することで、流出油を回収処理するもので、石炭の親油性により効率的に油を回収することができるとともに、回収した油の廃棄や後処理も必要なく、取り出した石炭は、油を吸着してカロリが高められた含油石炭として、そのまま燃料として用いることができる。
【００１８】
また、海洋・河川における大規模な油汚染に対しては、海岸、海底、川底等の油汚染された土砂を建設機械を用いて採集し、選炭機の運転で迅速、確実に油を回収するとともに、土砂を洗浄し、早期の環境の復旧を図ることができ、そのコストは、従来の人力に依存した手段に比べ、大幅に軽減することができる。
【００１９】
また、この発明の流出油の回収処理方法において、汚泥を吸着して無害化する効用がある活性の強いフミン酸を多量に含有する低品位炭を主材料として用いれば、油を回収するとともに、一般の汚染物質の浄化を同時に実現することができるものである。
【図面の簡単な説明】
【図１】この発明の流出油の回収処理方法の全体構成図。
【符号の説明】
４　タンク
７　浮遊選炭機、
７ａ　重液選炭機
７ｂ　ジグ選炭機
７ｃ　サイクロン選炭機
【図１】
2004081940.tif 000003